(57)【要約】【課題】サムネイル画像表示領域を用いても再生履歴の表示が可能で数多くの番組を一覧表にすることが出来る番組録画再生装置を提供する。【解決手段】記録媒体に記録する指示あるいは記録媒体に記録したコンテンツの中から選択したコンテンツを指示する操作制御部２と、記録媒体に記録されたコンテンツのうち操作制御部２の指示により選択したコンテンツの再生を行ってコンテンツの記録時間及び各コンテンツの中に含まれる1つの画像をサムネイル画像として抽出記憶する録画再生情報管理部４と、記録媒体に記録されたコンテンツを再生する時間を再生時間とするとき、（記録時間−再生時間）／（記録時間）の関係を有した縮小比率にサムネイル画像を乗算して縮小サムネイル画像を生成し、記録したコンテンツの名称と縮小サムネイル画像とを関係付けて一覧表として生成する一覧表生成部６と、一覧表を表示する表示部７と、を備える。【選択図】      図１
2008135911.tif 000002
【特許請求の範囲】
【請求項１】
内蔵された記録媒体にコンテンツを記録再生する番組録画再生装置において、
前記記録媒体に記録する指示あるいは前記記録媒体に記録した前記コンテンツの中から選択したコンテンツを指示する操作制御部と、
前記記録媒体に記録された前記コンテンツのうち前記操作制御部の指示により選択したコンテンツの再生を行って前記コンテンツの記録時間及び各コンテンツの中に含まれる1つの画像をサムネイル画像として抽出して記憶する録画再生情報管理部と、
前記記録媒体に記録された前記コンテンツを再生する時間を再生時間とするとき、（記録時間−再生時間）／（記録時間）の関係を有した縮小比率に前記サムネイル画像を乗算して縮小サムネイル画像を生成し、前記記録したコンテンツの名称と前記縮小サムネイル画像とを関係付けて一覧表として生成する一覧表生成部と、
前記一覧表を表示する表示部と、
を備えることを特徴とする番組録画再生装置。
【発明の詳細な説明】
【技術分野】
【０００１】
本発明は、番組の映像音声をランダムアクセス可能な記録媒体に録画した各番組の一覧表を表示し選択する際に、各番組の一覧表に再生履歴を表すサムネイル画像も併せて表示する番組録画再生装置に関するものである。
【背景技術】
【０００２】
近年、ＭＰＥＧ２などのデジタル映像音声圧縮技術の発展やハードディスクドライブに代表されるランダムアクセス可能な記録媒体の性能向上により、地上波や衛星放送などのテレビジョン放送番組の数時間から数十時間のデジタル圧縮映像を大容量の記録媒体に録画蓄積し再生することのできる番組録画再生装置が実用化されつつある。
番組録画再生装置の操作は基本的には利用者が、手動操作で録画再生希望番組を選択して録画再生を行うことである。より容易で効率的な操作として、番組映像のほかにどのような番組がどのような順序で録画されているかといった録画予約の情報を記録媒体の所要の領域に記憶しておくことで、後で再生する際にその領域の情報に基づいて録画内容を表示することができ、利用者が所望の録画番組を探し出すことを容易にしている。
図４は特許文献１に記載されている番組録画再生装置に録画された番組を表示した一覧表を示す図である。
【０００３】
図４に示すように、番組録画再生装置に録画された全ての番組を表示した一覧表１００には、ジャンルを示す文字１０１（図４では＜すべて＞と表示されており、他に＜スポーツ＞、＜映画＞、等がある）と、サムネイル画像１０２と、サムネイル画像の分類記号１０３と、録画済み番組の内容(ＣＨ、月日、曜日、開始、終了、視聴履歴)を分類する項目と、録画済番組の表示が３行分と、第２行目に太線で囲まれた選択カーソル１０４と、が表示されている。
【０００４】
録画済み番組の内容は、ＣＨ：地上波や衛星放送などのテレビジョン放送番組等のチャンネル、月日：録画した月日、曜日：録画した曜日、開始：録画開始時間、終了：録画終了時間、視聴履歴：白の棒グラフの長さは録画時間、黒の棒グラフの長さは再生済み時間、として示されている。
【０００５】
例えば、図４に示された一覧表の中に表示されたサムネイル画像を見て、太線で囲まれた選択カーソル１０４で第２行目に示される録画済み番組を選択すると、この録画済み番組の内容は、テレビジョン放送番組の１０チャンネル、録画したのは１２月１２日(木)、録画開始時間は２１：００、録画終了時間は２３：００、白の棒グラフの長さから録画時間は２時間、黒の棒グラフの長さから再生済み時間は４５分、として示されているので、再生時間の残りは１時間１５分となる。
【特許文献１】特開２０００−１３８８８６号公報
【発明の開示】
【発明が解決しようとする課題】
【０００６】
しかしながら、上述したように、録画済み番組を表示した一覧表１００にはサムネイル画像の表示の他に、録画済み番組の内容(ＣＨ、月日、曜日、開始、終了、視聴履歴)が表示されているため、１つの録画済み番組の表示領域が大きくなってしまい、特にハードディスクや光ディスク等のランダムアクセスできる記録媒体の記憶容量が増加している現在、番組録画再生装置に録画された全ての番組を、サムネイル画像の他に録画済み番組の内容を付加して再生時間の残りが分かるような、一覧表として表示することは困難であると言う問題点があった。
【０００７】
そこで、本発明は、上記のような問題点を解消するためになされたもので、サムネイル画像の他に録画済み番組の内容(ＣＨ、月日、曜日、開始、終了、視聴履歴)を付加しなくても、再生時間の残りが分かるような、再生履歴の表示が可能で数多くの番組を一覧表にすることが出来る番組録画再生装置を提供することを目的とする。
【課題を解決するための手段】
【０００８】
本願発明における第１の発明は、内蔵された記録媒体にコンテンツを記録再生する番組録画再生装置において、前記記録媒体に記録する指示あるいは前記記録媒体に記録した前記コンテンツの中から選択したコンテンツを指示する操作制御部と、前記記録媒体に記録された前記コンテンツのうち前記操作制御部の指示により選択したコンテンツの再生を行って前記コンテンツの記録時間及び各コンテンツの中に含まれる1つの画像をサムネイル画像として抽出して記憶する録画再生情報管理部と、前記記録媒体に記録された前記コンテンツを再生する時間を再生時間とするとき、（記録時間−再生時間）／（記録時間）の関係を有した縮小比率に前記サムネイル画像を乗算して縮小サムネイル画像を生成し、前記記録したコンテンツの名称と前記縮小サムネイル画像とを関係付けて一覧表として生成する一覧表生成部と、前記一覧表を表示する表示部と、を備えることを特徴とする番組録画再生装置を提供するものである。
【発明の効果】
【０００９】
本発明の番組録画再生装置によれば、内蔵された記録媒体にコンテンツを記録再生する番組録画再生装置において、記録媒体に記録する指示あるいは記録媒体に記録したコンテンツの中から選択したコンテンツを指示する操作制御部と、記録媒体に記録されたコンテンツのうち操作制御部の指示により選択したコンテンツの再生を行ってコンテンツの記録時間及び各コンテンツの中に含まれる1つの画像をサムネイル画像として抽出して記憶する録画再生情報管理部と、記録媒体に記録されたコンテンツを再生する時間を再生時間とするとき、（記録時間−再生時間）／（記録時間）の関係を有した縮小比率に前記サムネイル画像を乗算して縮小サムネイル画像を生成し、記録したコンテンツの名称と縮小サムネイル画像とを関係付けて一覧表として生成する一覧表生成部と、一覧表を表示する表示部と、を備えることにより、サムネイル画像の他に録画済み番組の内容を付加しなくても、再生時間の残りが分かるような、再生履歴の表示が可能で数多くの番組を一覧表にすることが出来る。
【発明を実施するための最良の形態】
【００１０】
以下に、本発明の実施形態に係る番組録画再生装置について、図１〜図３を用いて説明する。
図１は、本発明の実施形態に係る番組録画再生装置の構成を示す図である。
図２は、本発明の実施形態に係るサムネイル画像の一覧表を生成する一覧表生成部の構成を示す図である。
図３は、本発明の実施形態に係る番組録画再生装置で録画した各番組の一覧表と、サム
ネイル画像例を表示する図であり、（Ａ）は録画した各番組の一覧表を示す図であり、（Ｂ）は一覧表に表示される録画された番組のサムネイル画像を示す図であり、（Ｃ）は再生時間に応じて表示される縮小されたサムネイル画像を示す図である。
【００１１】
図１に示すように、本発明の実施形態に係る番組録画再生装置１は、録画される放送の番組のチャンネルを指定したり、予めハードディスクや光ディスク等の記録媒体に録画している複数の番組の１つを指定したりする操作制御部２と、地上波や衛星放送などのテレビジョン放送の番組を受信し操作制御部２で指定されたチャンネルの放送の番組を選択して出力する番組選択部３と、上記した記録媒体に録画されている番組内容からの各番組のコンテンツ名と録画時間と再生時間と各番組に含まれる一つの画像をサムネイル画像とするコンテンツ情報を抽出しＬＳＩ等のＩＣメモリに記憶及び出力する録画再生情報管理部４と、番組選択部３で選択した番組の内容を録画再生するハードディスクや光ディスクの記録媒体を有するコンテンツ録画再生部５と、録画再生情報管理部４に記憶されたコンテンツ情報から再生時間の残りを示すサムネイル画像を一覧表として生成する一覧表生成部６と、コンテンツ録画再生部5から出力される番組内容と一覧表生成部６から出力される再生時間の残りを示すサムネイル画像の一覧表とを切り換えてディスプレイに表示する表示部７と、から構成されている。
【００１２】
図２に示すように、一覧表生成部６は、録画再生情報管理部４から選択的出力された番組毎のサムネイル画像を記憶するサムネイル画像記憶部２０と、録画再生情報管理部４から選択的に出力された番組毎の録画時間を記憶する録画時間記憶部２１と、録画再生情報管理部４から選択的に出力された番組毎の再生時間を記憶する再生時間記憶部２２と、録画再生情報管理部４から選択的に出力された番組毎のコンテンツ名を表示用コンテンツ情報として記憶する表示用コンテンツ記憶部２３と、録画時間記憶部２１に記憶されている録画時間と再生時間記憶部２２に記憶されている再生時間とを用いてサムネイル画像の縮小比率を算出する縮小比率算出部２４と、縮小比率算出部２４で算出された縮小比率を前記サムネイル画像記憶部２０に記憶されているサムネイル画像に乗算して縮小サムネイル画像を生成するサムネイル画像縮小部２５と、サムネイル画像縮小部２５で生成された縮小サムネイル画像とこの縮小サムネイル画像の録画番組と関連付けて一覧表画像を生成する一覧表画像生成部２６と、からなる。
【００１３】
次に、番組録画再生装置１における録画、一覧表表示、再生のそれぞれについて詳細に説明する。
（１）番組の録画は以下のように行う。
本発明の実施形態に係る番組録画再生装置１の利用者は、まず操作制御部２を操作して指定したチャンネルの放送番組を番組選択部３で選択して、録画再生情報管理部４で放送番組のコンテンツ名と録画時間と再生時間と各番組に含まれる一つの画像をサムネイル画像とするコンテンツ情報を抽出して録画再生情報管理部４に記憶するとともに、放送番組の内容の全体をコンテンツ録画再生部５の記録媒体に選択された番組を録画する。指定した番組をコンテンツ録画再生部５への録画が終了すると録画終了時間と共に、この録画終了時間と録画開始時間とから録画時間を算出してこの録画時間を録画再生情報管理部４に記憶する。
【００１４】
コンテンツ録画再生部５の記録媒体に選択された番組を録画する場合、この記録媒体に録画される番組は、録画する番組がアナログの場合は、Ａ／Ｄ変換器を用いてデジタルに変換した後、ＭＰＥＧデジタルストリームに圧縮符号化した録画用画像とするとよい。
このように圧縮符号化することにより録画される番組をさらに多くすることができる。
【００１５】
次に、コンテンツ録画再生部５の記録媒体に録画されている複数の番組は、録画された番組の映像の部分画像からなるサムネイル画像を参照して行う。この表示は、操作制御部２により行われる。
（２）次に番組の一覧表表示の場合について説明する。
次に図２に示すように、録画再生情報管理部４から出力された番組毎の、サムネイル画像はサムネイル画像記憶部２０に、録画時間は録画時間記憶部２１に、再生時間（録画終了直後は零）は再生時間記憶部２２に、コンテンツ名は表示用コンテンツ記憶部２３に、それぞれ記憶する。
【００１６】
そして、録画時間記憶部２１に記憶されている録画時間を出力させると共に、再生時間記憶部２２に記憶されている再生時間を、縮小比率算出部２４に出力させ、縮小比率算出部２４において録画時間と再生時間とからサムネイル画像の縮小比率を算出する。
縮小比率は（録画時間−再生時間）／録画時間により算出される。
録画終了直後は再生されていないから再生時間は零であり従って縮小比率は１である。
【００１７】
縮小比率算出部２４で算出された縮小比率に基づいて、サムネイル画像記憶部２０から出力されたサムネイル画像を画像縮小部２５で縮小サムネイル画像に生成する。
【００１８】
次に、表示用コンテンツ記憶部２３に記憶されている表示用コンテンツ情報と、縮小比率算出部２４で算出された縮小比率と、画像縮小部２５で生成された縮小サムネイル画像とを一覧表生成部２６に入力して、図３（Ａ）に示すような番組に対応した複数のサムネイル画像からなる一覧表画像を生成する。
図３（Ａ）に示す一覧表のタイトルＡ〜タイトルＨは、録画された番組のそれぞれのコンテンツ情報であり、これらの表示用コンテンツ情報で示されるサムネイル画像の大きさは、小さいほど残りの再生時間が少ないことを示している。
【００１９】
すなわち、図３（Ｂ）に示すように録画直後のタイトルＢの番組のサムネイル画像は大きく表示されて再生時間が長いことを示し、図３（Ｃ）に示すように、一部分が再生されたタイトルＥの番組のサムネイル画像は小さく表示されており、これは再生済み時間が多く残りの再生時間が少ないことを示す。
【００２０】
表示部７のディスプレイには、図３（Ａ）に示すようなそれぞれの残りの再生時間を示すサムネイル画像からなる一覧表画像が表示されるので、この中から番組録画再生装置１の利用者の希望する所定の時間で再生する番組を、操作制御部２に付加されているリモコンの操作により選択する。
（３）次に番組の再生を矢子ナウ場合について説明する。
表示部７のディスプレイに表示されている一覧表から再生する番組のサムネイル画像を選択して、コンテンツ録画再生部５において選択した番組を再生し、表示部７では一覧表からコンテンツ録画再生部５で再生された映像に切換えてディスプレイに表示する。
【００２１】
コンテンツ録画再生部５で再生された番組の記録媒体に録画されている番組内容を再生して、その再生時間を録画再生情報管理部４に記憶する。次に、縮小比率算出部２４で算出された縮小比率と録画再生情報管理部４に記憶した再生時間とを用いて一覧表画像生成部２６で、録画時間に対する残りの再生時間の比率を算出して、録画時間に対する残りの再生時間の比率で標準の大きさのサムネイル画像を縮小する。次に、表示部７に縮小されたサムネイル画像により残りの再生時間を表示する。
【００２２】
このようにして、サムネイル画像の他に録画済み番組の内容（ＣＨ、月日、曜日、開始、終了、視聴履歴）を付加しなくても、サムネイル画像を再生時間に応じて縮小することにより、再生時間の残りを容易に表示することが出来る。
【００２３】
以上述べてきたように、本発明の番組録画再生装置によれば、番組の映像音声を録画した各番組の一覧表に、再生履歴を表した再生時間の残りが容易に分かるサムネイル画像を用いることにより、数多くの番組を同一の画面上に表示することが出来る。
【図面の簡単な説明】
【００２４】
【図１】本発明の実施形態に係る番組録画再生装置の構成を示す図である。
【図２】本発明の実施形態に係るサムネイル画像の一覧表を生成する一覧表生成部の構成を示す図である。
【図３】本発明の実施形態に係る番組録画再生装置で録画した各番組の一覧表と、サムネイル画像例を表示する図であり、（Ａ）は録画した各番組の一覧表を示す図であり、（Ｂ）は一覧表に表示される録画された番組のサムネイル画像を示す図であり、（Ｃ）は再生時間に応じて表示される縮小されたサムネイル画像を示す図である。
【図４】特許文献１に記載されている番組録画再生装置に録画された番組を表示した一覧表  を示す図である。
【符号の説明】
【００２５】
１・・・番組録画再生装置、２・・・操作制御部、３・・・番組選択部、４・・・録画再生情報管理部、５・・・コンテンツ録画再生部（録画再生部）、６・・・一覧表生成部、７・・・表示部、２０・・・サムネイル記憶部、２１・・・録画時間記憶部、２２・・・再生時間記憶部、２３・・・表示用コンテンツ情報記憶部、２４・・・縮小比率算出部、２５・・・サムネイル画像縮小部、２６・・・一覧表画像生成部
【図１】
2008135911.tif 000003
【図２】
2008135911.tif 000004
【図３】
2008135911.tif 000005
【図４】
2008135911.tif 000006